(57)【要約】【課題】路上機器の床面からの湿気流入を防ぐための施工を容易、且つ、短時間に行うことができ、また、撤去も容易に行え、再利用を可能とする路上機器用床面防湿シートを提供する。【解決手段】路上機器用床面防湿シート１を、床面形状と略同形に形成された床面シート部４と、この床面シート部４の周縁に連接され、路上機器の立設面に沿って曲折可能な接着代部５とを備えた透湿防水性素材で構成する。接着代部５には、路上機器の立設面に着脱自在に接着する磁石７が設けられ、床面シート部４には、ケーブルを配置する共にケーブルの周囲を包み込むケーブル包部１１が設けられる。接着代部５、床面シート部４、及びケーブル包部１１に、ケーブル包部１１にケーブルを配置可能とする切り込み１５を設け、ケーブル包部１１にその上端開口部１４をケーブルに締め付ける面ファスナ１２を備える。【選択図】  図２
2012165504.tif 000002
【特許請求の範囲】
【請求項１】
路上機器の内部に設けられ、前記路上機器の床面形状と略同形に形成された床面シート部と、この床面シート部の周縁に連接され、前記路上機器の立設面に沿って曲折可能な接着代部とを備えた透湿防水性素材で構成される路上機器用床面防湿シートであって、
前記接着代部を前記路上機器の立設面に着脱自在に接着する接着手段と、
前記床面シート部の所定箇所に一体に設けられ、ケーブルを通すと共に該ケーブルの周囲を包み込むケーブル包部と、
前記接着代部、前記床面シート部、及び前記ケーブル包部に形成されて、前記ケーブル包部に前記ケーブルを側方から配置可能とする切り込みと、
前記ケーブル包部の上端開口部に設けられて前記ケーブル包部の上端開口部を前記ケーブルに締め付ける締付手段と
を有することを特徴とする路上機器用床面防湿シート。
【請求項２】
前記接着代部、前記床面シート部、及び前記ケーブル包部には、前記切り込みの側縁に設けられて前記切り込みの側縁同士を接着させる接着手段を設けたことを特徴とする請求項１記載の路上機器の床面防湿シート。
【請求項３】
前記接着手段は、磁石で構成されることを特徴とする請求項１又は２記載の路上機器の床面防湿シート。
【請求項４】
前記接着手段は、接着部分の一方に嵌合凹部を備えた第１の接着構成部を設け、前記接着部分の他方に前記嵌合凹部と嵌合する嵌合凸部とを備えた第２の接着構成部を設けて構成されることを特徴とする請求項１又は２記載の路上機器の床面防湿シート。
【発明の詳細な説明】
【技術分野】
【０００１】
この発明は、高圧引込用開閉器などの配電機器であって、路上に設置される路上機器（キャビネット）の床面に施される路上機器用床面防湿シートに関する。
【背景技術】
【０００２】
配電線を地中化する区域では、配電線を地中に埋没する一方で、操作やメンテナンスが必要となる変圧器、開閉器等の配電機器を路上に配置するようにしている。
このような路上機器内部の湿気対策としては、従来、例えば、特許文献１や２等に示されるような、主材と硬化剤の二液を混合・攪拌して形成された半練り状のシール材を、路上機器内部の床面に充填した後、ヘラなどで均して敷設するようにしていた。このようなシール材は、３０分ほど経過すると硬化して床面に密着し、機器の床下からの湿気の流入を抑制する機能を有している。
【先行技術文献】
【特許文献】
【０００３】
【特許文献１】特開２０１０-２４８２８０
【特許文献２】特開２００９-２４９５２４
【発明の開示】
【発明が解決しようとする課題】
【０００４】
しかしながら、上述した従来のシール材の施工は、半練り状のシール材を路上機器内部の床面に充填し、短時間で均した後に硬化を待つことから、施工に習熟技術が必要であり、また、施工に時間がかかるものであった。
【０００５】
また、ケーブル工事（ケーブルの取換え等）の都度、硬化したシール材を撤去する必要があり、ケーブル工事が終了した後には、防湿のために新たなシール材を再度充填する作業が必要となる。しかも、撤去したシール材は廃棄する他なく、再利用することができないものであった。
【０００６】
本発明は係る事情に鑑みてなされたものであり、路上機器の床面からの湿気流入を防ぐための施工を容易、且つ、短時間に行うことができ、また、撤去も容易に行えると共に再利用することも可能な路上機器用床面防湿シートを提供することを主たる課題としている。
【課題を解決するための手段】
【０００７】
上記課題を達成するために、この発明に係る路上機器用床面防湿シートは、路上機器の内部に設けられ、前記路上機器の床面形状と略同形に形成された床面シート部と、この床面シート部の周縁に連接され、前記路上機器の立設面に沿って曲折可能な接着代部とを備えた透湿防水性素材で構成されるシートであって、前記接着代部を前記路上機器の立設面に着脱自在に接着する接着手段と、前記床面シート部の所定箇所に一体に設けられ、ケーブルを通すと共に該ケーブルの周囲を包み込むケーブル包部と、前記接着代部、前記床面シート部、及び前記ケーブル包部に形成されて、前記ケーブル包部に前記ケーブルを側方から配置可能とする切り込みと、前記ケーブル包部の上端開口部に設けられてこのケーブル包部の上端開口部を前記ケーブルに締め付ける締付手段とを有することを特徴としている。
【０００８】
ここで、透湿防水性素材としては、ジャパンゴアテックス社製のゴアテックス（登録商標）、日東電工社製のミクロテックス（登録商標）等で代表される多孔質フィルム等を用いるとよい。
したがって、このような構成においては、床面防湿シートを路上機器の内部に入れ、床面シート部を路上機器の床面に合わせて敷きつつ、既設のケーブルを切り込みを介してケーブル包部に配置させる。その後、床面シート部の周縁を押さえつつ、接着代部を路上機器の立設面に沿って折り曲げて立設させ、その状態で接着手段により接着代部を路上機器の立設面に接着させる。それと同時に、ケーブル包部の上端開口部を締付手段により締付けてケーブルとケーブル包部との隙間を塞ぎ、ケーブル包部の上端開口部からの湿気の流入を抑える。
【０００９】
また、路上機器用床面防湿シートは、接着手段により着脱自在に路上機器に接着しているので、接着手段を剥すことで、容易に取り外すことが可能となり、また再利用のための再取り付けも接着手段により容易に行うことが可能となる。
【００１０】
尚、接着代部、床面シート部、及びケーブル包部には、切り込みの側縁に設けられて該切り込みの側縁同士を接着させる接着手段を設けることが好ましい。これにより切り込みからの湿気の流入を防止することが可能となる。
【００１１】
ここで、前記接着手段は、磁石で構成するようにしても、接着部分の一方に嵌合凹部を備えた第１の接着構成部を設け、前記接着部分の他方に前記嵌合凹部と嵌合する嵌合凸部とを備えた第２の接着構成部を設けて構成するようにしてもよい。
【００１２】
このような構成によれば、路上機器用床面防湿シートと路上機器の内壁との間や切り込み部分を気密よく塞ぐことが可能となるので、湿気の流入防止を効果的に防ぐことが可能となる。
【発明の効果】
【００１３】
以上のように、本発明に係る路上機器用床面防湿シートによれば、路上機器の床面形状と略同形に形成された床面シート部と、この床面シート部の周縁に連接され、路上機器の立設面に沿って曲折可能な接着代部とを備えた透湿防水性素材で構成され、接着代部を路上機器の立設面に着脱自在に接着する接着手段と、床面シート部の適所に一体に設けられ、ケーブルを通すと共にケーブルの周囲を包み込むケーブル包部と、ケーブル包部に側方から配置可能とする切り込みと、ケーブル包部の上端開口部をケーブルに締め付ける締付手段とを有して構成されているので、路上機器の床面に防湿シートを容易かつ短時間に敷設することが可能となる。
【００１４】
また、路上機器の内面とは、着脱自在な接着手段により接着されているので、路上機器からの撤去も容易に行え、また、床面防湿シートの再利用も可能となる。
さらに、床面防湿シートのケーブル装着用の切り込みも接着手段にて接着するようにすれば、切り込みからの湿気の流入も防ぐことができ、防湿性を高めることが可能となる。
【００１５】
また、接着手段を磁石で構成し、又は、接着部分の一方に嵌合凹部を備えた第１の接着構成部を設けると共に接着部分の他方に嵌合凹部と嵌合する嵌合凸部を備えた第2の接着構成部を設けて構成すれば、床面透湿防水床シートと路上機器の内面との間や切込み部分において、良好な密着性を確保して防湿効果を高めることが可能となる。
【図面の簡単な説明】
【００１６】
【図１】図１は、本発明に係る路上機器用床面防湿シートを路上機器の床面に敷設した状態を示す斜視図である。
【図２】図２は、本発明に係る路上機器用床面防湿シートを展開した状態を示す斜視図である。
【図３】図３は、本発明に係る路上機器用床面防湿シートを展開した状態を示す平面図である。
【図４】図４は、ケーブルが配置されるケーブル包部付近の拡大斜視図である。
【図５】図５は、ケーブル包部内にケーブルを配置させた状態を上方から見た図である。
【図６】図６は、接着手段の他の変形例を示す斜視図である。
【発明を実施するための形態】
【００１７】
以下、この発明の実施例を図面により説明する。
【実施例１】
【００１８】
図１において、高圧引込用開閉器などの路上に設置される路上機器２の床面に本発明に係る床面防湿シート１が敷設されている。この例において、路上機器２内には、床面２ａの３箇所において３本一組の高圧引込線（以下、ケーブル１０という）が地中から床面２ａに形成された図示しないケーブル挿通孔を介して引き込まれており、床面２ａの全範囲及び各ケーブル１０の挿入部分の周囲を床面防湿シート１で覆うようにしている。
【００１９】
この床面防湿シート１は、樹脂多孔質膜からなる既存の透湿防水性素材で構成されているもので、図２及び図３に示されるように、路上機器２の内部において、路上機器２の床面形状と略同形に形成された床面シート部４と、この床面シート部４の周縁に連接され、路上機器２の基台３の立設面３ａに沿って曲折可能な接着代部５とを備えている。
【００２０】
床面シート部４は、路上機器２の床面２ａの形状に合わせて矩形状に形成され、また接着代部５は、基台３の立設面３ａの高さ以下となるように床面シート部４の周縁から延設されており、床面シート部４の各辺に設けられた接着代部５は、隣り合う端部同士を床面防湿シート１の四隅に設けられた三角形状の余巾部６で連結され、この余巾部６を適宜内側又は外側へ曲折させることで、接着代部５を床面シート部４に対して立設させ、接着代部５の端部同士を近接させるようにしている。そして、この接着代部５の縁部（立設させた際に上側の側縁となる部分）には、全幅に亘って板状の磁石７が取り付けられている。この磁石７は、接着代部５の上面に固定されるか内部に埋設されており、この磁石７によって接着代部５を路上機器２の立設面３ａに着脱自在に接着する接着手段が構成されている。
【００２１】
床面シート部４の中程には、床面２ａを介して引き込まれたケーブル１０を挿通させ、そのケーブル１０の周囲を包み込むように立設されたケーブル包部１１が、路上機器２の床面２ａに形成されたケーブル挿通孔の位置に合わせて所定の間隔で複数形成されている。
【００２２】
このケーブル包部１１は、図４にも示されるように、中空の円錐台状に形成され、下端部は開放されてその周縁が床面シート部４に一体化されているもので、側面には、床面シート部４及び接着代部５にかけて切り込み１５が形成され、この切り込み１５を介して、床面防湿シート１の側方からケーブル１０をケーブル包部１１内へ配置させることができ、また、ケーブル包部１１内に配設されているケーブル１０を床面防湿シート１の外側へ相対的にずらすことができるようにしている。
【００２３】
この接着代部５からケーブル包部１１にかけて形成される切り込み１５は、互いに対峙する側縁が重なり合うように形成されており、この重なりあっている側縁の一方又は両方には、吸着手段としての磁石１７が設けられている。この例において、接着代部５と床面シート部４に形成されている切り込み１５の部分は、重なり合った際に上側となる側縁に板状の磁石１７が表面に固定されているか内部に埋設されており、ケーブル包部１１の部分は、重なり合う両側縁に板状の磁石１７が表面に固定されているか埋設されている。
【００２４】
また、ケーブル包部１１の上端開口部１４には、この上端開口部１４を緊縮するための面ファスナ１２が設けられている。この面ファスナ１２は、その一端を固定端として、例えば切り込み１５の上側にくる側縁部分に接合し、他端を自由端として、ケーブル包部１１の上端開口部１４の周囲に回し付け、この上端開口部１４を緊縮させた状態で固定端に貼着できるようになっている。
【００２５】
尚、接着手段としての板状の磁石１７は鉄製のものでも、ゴムに鉄粉を混入し、その鉄粉を磁化させた可撓性を有するゴム磁石でも良い。
【００２６】
以上の構成において、次に、この床面防湿シート１を路上機器２の床面２ａに設置する手順を説明する。
先ず、路上機器２の前面の扉を開けて、床面防湿シート１を切り込み１５が形成された辺を奥側に向けて路上機器２の内部に入れ、切り込み１５を開きつつ、切り込み１５の間に床面から立設されているケーブル１０の側部が挿入されるように床面シート部４を奥側へ移動させる。そして、床面防湿シート１を各ケーブル１０が切り込み１５を介してケーブル包部１１に至るまで移動させた後に、床面シート部４を路上機器２の床面２ａに載置させるように矩形状に広げ、床面シート部４の角を路上機器２の床面２ａの角に一致させると共に床面シート部４の側縁を路上機器２の床面２ａの側縁に一致させつつ、接着代部５を路上機器２の基台３の立設面３ａに沿って上方に向けて曲折し、余巾部６を適切に折り曲げて隣り合う接着代部５の端部同士を突き合わせるようにする。
【００２７】
そして、接着代部５と床面シート部４に形成されている切り込み１５にあっては、上側の側縁に設けられた磁石１７を下側の側縁に挟み込むように床面２ａに磁着させ、切り込み１５の側縁同士を隙間無く密着させると共に床面に対しても密着させた状態とする。また、ケーブル包部１１に形成されている切り込み１５にあっては、両側縁に設けられた磁石１７により互いを隙間無く磁着させる。
さらに、それぞれの接着代部５の上側縁部を磁石７で路上機器２の立設面３ａに磁着させ、床面防湿シート１の周囲を路上機器２の基台３の内壁に全周に亘って密着固定し、床面防湿シート１と路上機器２の内面との間に隙間が形成されないようにする。
【００２８】
その後、ケーブル包部１１の上端開口部１４が位置するケーブル１０の周囲に、パテなどの封止材２０を全周に亘って付着させ、その上からケーブル包部１１で覆い、上端開口部１４の周囲に面ファスナ１２を回して上端開口部１４を締め上げるように貼着させ、ケーブル１０とケーブル包部１１との間の隙間を封止材２０によって塞ぐようにする。
【００２９】
また、ケーブル１０の取替作業等を行う場合には、路上機器２の床面２ａに敷設された床面防湿シート１を取り外す必要があるが、この場合には、面ファスナ１２を外すと共に接着代部５を磁石７の磁力に抗して路上機器２の立設面３ａから剥がすように外し、また、床面シート部４や接着代部５の切り込み１５やケーブル包部１１の切り込み１５を磁石１７の磁力に抗して開いて、ケーブル１０をケーブル包部１１から外すと共に床面防湿シート１を手前に移動させてケーブル１０を床面防湿シート１の外側に位置させ、しかる後に、床面防湿シート１を路上機器２の外側へ取り出す。そして、ケーブル１０の取替等の作業が終了した後に、取り外した床面防湿シート１を再び路上機器２内に入れ、前述した要領で再び床面２ａに敷設する。
【００３０】
したがって、上述の床面防湿シート１によれば、路上機器２の床面２ａに容易かつ短時間に敷設することが可能となり、また、路上機器２の内面とは、着脱自在な接着手段（磁石７，１７）により接着されているので、路上機器２からの撤去も容易に行え、また、床面防湿シート１の再利用も可能となる。
【００３１】
また、接着代部５と路上機器２の立設面３ａとを、磁石７により密着させ、また、床面防湿シート１のケーブル１０の装着用の切り込み１５も、その側縁部分が磁石１７によって密着させ、さらには、ケーブル包部１１の上端開口部１４もケーブル１０との間が封止材２０を介して面ファスナ１２によって緊縮されているので、接着代部５と立設面３ａとの間や、切り込み１５の重ね合わせ部分、ケーブル包部１１とケーブル１０との間から湿気の流入を防ぐことが可能となり、防湿性を高めることが可能となる。
【００３２】
尚、上述の構成においては、接着手段として、磁石７を用いた例を示したが、図６にあるように、接着代部５と路上機器２の立設面３ａとの間を接着する際や、切り込み１５の重なり合う側縁同士を接着する際に、一方に嵌合凹部２１ａを備えた帯状の第１の接着構成部２１を設け、他方に嵌合凹部２１ａと嵌合する嵌合凸部２２ａを備えた帯状の第２の接着構成部２２を設けて互いを接着させるようにしてもよい。この第１及び第２の接着構成部２１，２２は、床面防湿シート１や路上機器２の立設面３ａに別部材で構成するようにしても一体に構成するようにしてもよく、この例では、路上機器２の立設面３ａとこれに対峙する床面防湿シート１の接着代部５に対しては別部材を貼着させることで構成され（図６（ａ））、切り込み１５の重なる部分には、床面防湿シート１に一体に形成することで構成されている（図６（ｂ））。
このような構成によれば、床面防湿シート１を設置する箇所が樹脂などで構成されている場合にも対応することが可能となり、良好な気密性を確保することが可能となる。
【符号の説明】
【００３３】
１  床面防湿シート
２  路上機器  
２ａ  床面
３  立設面
４  床面シート部
５  接着代部
７  磁石
１０  ケーブル
１１  ケーブル包部
１２  面ファスナ
１４  上端開口部
１５  切り込み
１７  磁石
２１  第１の接着構成部
２１ａ  嵌合凹部
２２  第２の接着構成部
２２ａ  嵌合凸部
【図１】
2012165504.tif 000003
【図２】
2012165504.tif 000004
【図３】
2012165504.tif 000005
【図４】
2012165504.tif 000006
【図５】
2012165504.tif 000007
【図６】
2012165504.tif 000008